(57)【特許請求の範囲】
【請求項１】
情報を入出力する入出力装置と、
商品コードごとの単価を格納する価格データベースと、
システムに電力を供給するシステム電源部と、
プリンタに電力を供給するプリンタ電源部と、
外部から供給される電力であるＤＣ電源供給部と、
前記システムに電力を供給するための第１のバッテリと、
前記プリンタに電力を供給するための第２のバッテリと、
前記第１のバッテリ又は前記第２のバッテリを充電するバッテリチャージャと、
前記ＤＣ電源供給部、前記第１のバッテリからの入力、前記第２のバッテリからの入力、及び前記バッテリチャージャからの入力を切り替え、前記システム電源部に供給する第１のパワーセレクタと、
前記ＤＣ電源供給部、前記第２のバッテリからの入力、及び前記バッテリチャージャからの入力を切り替え、前記プリンタ電源部に供給する第２のパワーセレクタと、
前記第２のバッテリからの入力を前記第１のパワーセレクタへの出力又は前記第２のパワーセレクタへの出力に切り替えるスイッチングユニットと、
を備える金銭登録装置。
【請求項２】
前記スイッチングユニットは、
前記第２のバッテリからの入力を前記第１のパワーセレクタへの出力又は前記第２のパワーセレクタへの出力に機械的に切り替える請求項１記載の金銭登録装置。
【請求項３】
前記スイッチングユニットは、
前記第２のバッテリからの入力を前記第１のパワーセレクタに接続または切断する第１スイッチと、
前記第２のバッテリからの入力を前記第２のパワーセレクタに接続または切断する第２スイッチと、
を備える請求項２記載の金銭登録装置。
【請求項４】
前記第１のパワーセレクタは、
前記スイッチングユニットを制御するスイッチ制御信号を生成するスイッチコントローラを備え、
前記スイッチングユニットは、
前記第２のバッテリからの入力を前記第１のパワーセレクタへの出力又は前記第２のパワーセレクタへの出力に前記制御信号に基づいて切り替える請求項１記載の金銭登録装置。
【請求項５】
前記第１のバッテリ及び前記第２のバッテリのいずれの電圧も閾値以下に低下した場合、システムをシャットダウンする制御部をさらに備える請求項１記載の金銭登録装置。
【請求項６】
システムに電力を供給するシステム電源部に電力を供給するための第１のバッテリ及びプリンタに電力を供給するプリンタ電源部に電力を供給するための第２のバッテリの電圧を監視し、
前記第１のバッテリの電圧が閾値以下に低下した場合、その旨を入出力部に表示し、
スイッチングユニットによって前記第２のバッテリからの入力を第２のパワーセレクタへの出力から第１のパワーセレクタへの出力に切り替えられた場合、第２のバッテリからの電力を前記システム電源部に供給する、金銭登録装置の電源管理方法。
【請求項７】
前記スイッチングユニットは、
前記第２のバッテリからの入力を前記第１のパワーセレクタへの出力又は前記第２のパワーセレクタへの出力に機械的に切り替える請求項６記載の金銭登録装置の電源管理方法。
【請求項８】
前記スイッチングユニットは、
前記第２のバッテリからの入力を前記第１のパワーセレクタに接続または切断する第１スイッチと、
前記第２のバッテリからの入力を前記第２のパワーセレクタに接続または切断する第２スイッチと、
を備える請求項７記載の金銭登録装置の電源管理方法。
【請求項９】
前記第１のパワーセレクタは、
前記スイッチングユニットを制御するスイッチ制御信号を生成するスイッチコントローラを備え、
前記スイッチングユニットは、
前記第２のバッテリからの入力を前記第１のパワーセレクタへの出力又は前記第２のパワーセレクタへの出力に前記制御信号に基づいて切り替える請求項６記載の金銭登録装置の電源管理方法。
【請求項１０】
前記第１のバッテリ及び前記第２のバッテリのいずれの電圧も閾値以下に低下した場合、システムをシャットダウンする制御部をさらに備える請求項６記載の金銭登録装置の電源管理方法。
【発明の詳細な説明】
【技術分野】
【０００１】
本発明の実施形態は、金銭登録装置及び金銭登録装置の電源管理方法に関する。
【背景技術】
【０００２】
近年ではフリーマーケットのような屋外での物販にＰＯＳ（Ｐｏｉｎｔ  ｏｆ  ｓａｌｅｓ）端末のような金銭登録装置が使用されるようになっている。
【０００３】
屋外の場合、電源が取れないことがあるため、金銭登録装置はバッテリによって駆動するものが用いられる。
【０００４】
このようなバッテリ駆動の金銭登録装置は、バッテリの消耗によってシステムがダウンすることを避けるために、プリンタ用のバッテリとシステム用のバッテリとを個別に備える機種がある。
【０００５】
プリンタは常に稼働しているわけではないため、プリンタ用のバッテリが消耗した場合には容易にバッテリを交換できる。
【０００６】
しかし、システム用のバッテリが消耗した場合、従来の金銭登録装置はシステムを一度シャットダウンしてからバッテリを交換するか、金銭登録装置をＡＣ電源に接続する必要があった。
【先行技術文献】
【特許文献】
【０００７】
【特許文献１】特開２０１２−９９０５８号公報
【発明の概要】
【発明が解決しようとする課題】
【０００８】
従って、システムをシャットダウンせずに、またＡＣ電源に接続せずに、システム用のバッテリを交換できる金銭登録装置及び金銭登録装置の電源管理方法が求められている。
【課題を解決するための手段】
【０００９】
上記の課題を解決するために、本発明の一実施形態は、情報を入出力する入出力装置と、商品コードごとの単価を格納する価格データベースと、システムに電力を供給するシステム電源部と、プリンタに電力を供給するプリンタ電源部と、外部から供給される電力であるＤＣ電源供給部と、システムに電力を供給するための第１のバッテリと、プリンタに電力を供給するための第２のバッテリと、第１のバッテリ又は第２のバッテリを充電するバッテリチャージャと、ＤＣ電源供給部、第１のバッテリからの入力、第２のバッテリからの入力、及びバッテリチャージャからの入力を切り替え、システム電源部に供給する第１のパワーセレクタと、ＤＣ電源供給部、第２のバッテリからの入力、及びバッテリチャージャからの入力を切り替え、プリンタ電源部に供給する第２のパワーセレクタと、第２のバッテリからの入力を第１のパワーセレクタへの出力又は第２のパワーセレクタへの出力に切り替えるスイッチングユニットと、を備える金銭登録装置を提供する。
【図面の簡単な説明】
【００１０】
【図１】金銭登録装置の外観斜視図である。
【図２】金銭登録装置の構成を示すブロック図である。
【図３】価格データベースのデータ構成を示す図である。
【図４】トランザクションファイルのデータ構成を示す図である。
【図５】電源部の構成の第１の例を示すブロック図である。
【図６】電源部の構成の第２の例を示すブロック図である。
【発明を実施するための形態】
【００１１】
以下、金銭登録装置及び金銭登録装置の電源管理方法の一実施形態について、図面を用いて詳細に説明する。
【００１２】
本実施形態の金銭登録装置は、情報を入出力する入出力装置と、商品コードごとの単価を格納する価格データベースと、システムに電力を供給するシステム電源部と、プリンタに電力を供給するプリンタ電源部と、外部から供給される電力であるＤＣ電源供給部と、システムに電力を供給するための第１のバッテリと、プリンタに電力を供給するための第２のバッテリと、第１のバッテリ又は第２のバッテリを充電するバッテリチャージャと、ＤＣ電源供給部、第１のバッテリからの入力、第２のバッテリからの入力、及びバッテリチャージャからの入力を切り替え、システム電源部に供給する第１のパワーセレクタと、ＤＣ電源供給部、第２のバッテリからの入力、及びバッテリチャージャからの入力を切り替え、プリンタ電源部に供給する第２のパワーセレクタと、第２のバッテリからの入力を第１のパワーセレクタへの出力又は第２のパワーセレクタへの出力に切り替えるスイッチングユニットと、を備える。
【００１３】
図１は、金銭登録装置１００の外観斜視図である。図１に示すように、金銭登録装置１００は、入出力装置であるタッチパネル２０２と、入力装置であるキーボード２０３と、読取部であるカードリーダ２０４Ａと、を備える。
【００１４】
カードリーダ２０４Ａは、記憶媒体であるカードからカードごとに固有に割り当てられるＩＤを読み取る。
【００１５】
この記憶媒体は、例えば、磁気ストライプを有する磁気カードや、無線タグを格納するＩＣカードであってよく、ＩＤを格納できれば、その具体的態様に制限はない。さらに、記憶媒体はいわゆるクレジットカードであってもよい。
【００１６】
金銭登録装置１００は、この他に商品に貼付されるバーコードを読み取るスキャナ、金銭を格納するドロワ、取引内容を記録媒体に画像形成するプリンタなどの付属装置を接続することができる。
【００１７】
金銭登録装置１００は、スタンドアロンにて使用することも、ストアコントローラと接続して使用することもできる。ストアコントローラは金銭登録装置１００と同様の構成をもち、ストアコントローラに格納された商品に関する情報は変更があった都度接続されている金銭登録装置１００に配信される。
【００１８】
金銭登録装置１００は、システム用に電源を供給するためのバッテリである第１のバッテリ２０８Ａと、プリンタに電源を供給するためのバッテリである第２のバッテリ２０８Ｂと、を備える。
【００１９】
第１のバッテリ２０８Ａと、第２のバッテリ２０８Ｂとは、金銭登録装置１００に着脱可能に接続される。
【００２０】
図２は、金銭登録装置１００の構成を示すブロック図である。図２に示すように、金銭登録装置１００は、制御部であるＣＰＵ（Ｃｅｎｔｒａｌ  Ｐｒｏｃｅｓｓｉｎｇ  Ｕｎｉｔ）２０１と、タッチパネル２０２と、キーボード２０３と、カードリーダ２０４Ａと、外部機器と通信を行うための通信インターフェース（以下、インターフェースをＩ／Ｆという。）２０５と、記憶装置であるＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）などのメモリ２０６と、ハードディスク、乃至フラッシュＲＯＭなどの不揮発性記憶装置である補助記憶装置２０７と、電力を供給する電源部５００と、を備える。
【００２１】
補助記憶装置２０７は、商品コードごとの単価及び割引可否を格納する価格データベース（以下、データベースをＤＢという。）２０７Ａと、一取引の内容を格納するトランザクションファイル２０７Ｂと、を格納する。
【００２２】
金銭登録プログラムは、補助記憶装置２０７に格納され、制御部２０１は、金銭登録プログラムを補助記憶装置２０７から読み出してメモリ２０６に格納し、メモリ２０６から順次命令を読み出して実行する。
【００２３】
図３は、価格ＤＢ２０７Ａのデータ構成を示す図である。図３に示すように、価格ＤＢ２０７Ａは、商品毎に固有に割り当てられる「商品コード」と、商品の名称である「名称」と、商品の定番価格である「単価」と、販売部門を示す「部門」とを格納する。
【００２４】
各データの例は、商品コードが「４００００００００１２３４」、名称が「缶コーヒー２５０ｍｌ」、単価が「１００」、部門が「５０１０」である。
【００２５】
図４は、トランザクションファイル２０７Ｂのデータ構成を示す図である。図４に示すように、トランザクションファイル２０７Ｂは、一取引ごとに、「商品コード」と、「名称」と、「単価」と、販売する数量を示す「数量」と、を格納する。
【００２６】
各データの例は、商品コードが「４００００００００１２３４」、名称が「缶コーヒー２５０ｍｌ」、単価が「９５」、数量が「６」である。
【００２７】
金銭登録装置１００は、スキャナによって読み込んだ商品コードに基づいて価格ＤＢ２０７Ａを検索して名称と単価とを読み出す。
【００２８】
金銭登録装置１００はさらに、入出力装置であるタッチパネル２０２から当該商品の数量を入力する。
【００２９】
金銭登録装置１００は、タッチパネル２０２の小計ボタンが押下されたと判定した場合、単価と数量とに基づいて一取引の小計を計算する。
【００３０】
金銭登録装置１００は、預り金を入力し、預り金と小計からつり銭を計算して一取引を締める。
【００３１】
図５は、電源部５００の構成の第１の例を示すブロック図である。図５に示すように、電源部５００は、システムに電力を供給するシステム電源部５０１と、プリンタに電力を供給するプリンタ電源部５０２と、外部から供給される電力であるＤＣ電源供給部５０３と、システムに電力を供給するための第１のバッテリ２０８Ａと、プリンタに電力を供給するための第２のバッテリ２０８Ｂと、第１のバッテリ２０８Ａ又は第２のバッテリ２０８Ｂを充電するバッテリチャージャ５０５と、ＤＣ電源供給部５０３、第１のバッテリ２０８Ａからの入力、第２のバッテリ２０８Ｂからの入力、及びバッテリチャージャからの電力の入力を切り替え、システム電源部５０１に供給する第１のパワーセレクタ５０４と、ＤＣ電源供給部５０３、第２のバッテリ２０８Ｂからの入力、及びバッテリチャージャからの電力の入力を切り替え、プリンタ電源部５０２に供給する第２のパワーセレクタ５０６と、第２のバッテリ２０８Ｂからの入力を第１のパワーセレクタへの出力又は第２のパワーセレクタ５０６への出力に機械的に切り替えるスイッチングユニット５０７と、を備える。
【００３２】
バッテリチャージャ５０５は、ＤＣ電源供給部５０３からの入力があった場合、第１のバッテリ２０８Ａ又は第２のバッテリ２０８Ｂのいずれか電圧が低いほうに充電電力を供給する。
【００３３】
第１のパワーセレクタ５０４は、ＤＣ電源供給部５０３からの入力があった場合、システム電源部５０１に電力を供給し、バッテリチャージャ５０５からの電力を第１のバッテリ２０８Ａに供給する。
【００３４】
第１のパワーセレクタ５０４は、ＤＣ電源供給部５０３からの入力がない場合、第１のバッテリ２０８Ａとスイッチングユニット５０７を介して入力する第２のバッテリ２０８Ｂとのいずれか電圧が高いほうの電力をシステム電源部５０１に供給する。
【００３５】
第２のパワーセレクタ５０６は、ＤＣ電源供給部５０３からの入力があった場合、プリンタ電源部５０２に電力を供給し、バッテリチャージャ５０５からの電力を第２のバッテリ２０８Ｂに供給する。
【００３６】
第２のパワーセレクタ５０６は、ＤＣ電源供給部５０３からの入力がない場合、スイッチングユニット５０７を介して入力する第２のバッテリ２０８Ｂの電力をプリンタ電源部５０２に供給する。
【００３７】
スイッチングユニット５０７は、ユーザにより手動にて機械的に第２のバッテリ２０８Ｂからの入力を第１のパワーセレクタへの出力又は第２のパワーセレクタ５０６への出力に切り替える。
【００３８】
スイッチングユニット５０７は、第２のバッテリ２０８Ｂからの入力を第１のパワーセレクタ５０４に接続または切断する第１スイッチ５０７Ａと、第２のバッテリ２０８Ｂからの入力を第２のパワーセレクタ５０６に接続または切断する第２スイッチ５０７Ｂと、を備える。
【００３９】
制御部であるＣＰＵ２０１は、第１のバッテリ２０８Ａと、第２のバッテリ２０８Ｂと、ＤＣ電源供給部５０３からの電圧を監視し、タッチパネル２０２に表示する。従って、ユーザは、第１のバッテリ２０８Ａが消耗してきたことを知ることができ、ユーザの判断によってスイッチングユニット５０７が切り換えられる。
【００４０】
ユーザは、第２のバッテリ２０８Ｂによってシステムを駆動させている間に、第１のバッテリ２０８Ａを交換することができる。
【００４１】
なお、金銭登録装置１００は、第１のバッテリ２０８Ａ及び第２のバッテリ２０８Ｂのいずれの電圧も閾値以下に低下したと判定した場合、システムをシャットダウンする。
【００４２】
図６は、電源部５００の構成の第２の例を示すブロック図である。図６に示すように、電源部５００は、システムに電力を供給するシステム電源部５０１と、プリンタに電力を供給するプリンタ電源部５０２と、外部から供給される電力であるＤＣ電源供給部５０３と、システムに電力を供給するための第１のバッテリ２０８Ａと、プリンタに電力を供給するための第２のバッテリ２０８Ｂと、第１のバッテリ２０８Ａ又は第２のバッテリ２０８Ｂを充電するバッテリチャージャ５０５と、ＤＣ電源供給部５０３、第１のバッテリ２０８Ａからの入力、第２のバッテリ２０８Ｂからの入力、及びバッテリチャージャからの電力の入力を切り替え、システム電源部５０１に供給し、スイッチ制御信号を生成する第１のパワーセレクタ５０４と、ＤＣ電源供給部５０３、第２のバッテリ２０８Ｂからの入力、及びバッテリチャージャからの電力の入力を切り替え、プリンタ電源部５０２に供給する第２のパワーセレクタ５０６と、第２のバッテリ２０８Ｂからの入力を第１のパワーセレクタへの出力又は第２のパワーセレクタ５０６への出力にスイッチ制御信号に基づいて切り替えるスイッチングユニット５０７と、を備える。
【００４３】
バッテリチャージャ５０５は、ＤＣ電源供給部５０３からの入力があった場合、第１のバッテリ２０８Ａ又は第２のバッテリ２０８Ｂのいずれか電圧が低いほうに充電電力を供給する。
【００４４】
第１のパワーセレクタ５０４は、ＤＣ電源供給部５０３からの入力があった場合、システム電源部５０１に電力を供給し、バッテリチャージャ５０５からの電力を第１のバッテリ２０８Ａに供給する。
【００４５】
第１のパワーセレクタ５０４は、ＤＣ電源供給部５０３からの入力がない場合、第１のバッテリ２０８Ａとスイッチングユニット５０７を介して入力する第２のバッテリ２０８Ｂとのいずれか電圧が高いほうの電力をシステム電源部５０１に供給する。
【００４６】
第１のパワーセレクタ５０４は、スイッチングユニット５０８を制御するスイッチ制御信号を生成するスイッチコントローラ５０４Ａを備える。
【００４７】
第１のパワーセレクタ５０４は、ＤＣ電源供給部５０３からの入力がない場合であって第１のバッテリ２０８Ａの電圧が閾値以下に低下した場合、第２のバッテリ２０８Ｂからの入力を第１のパワーセレクタ５０４に出力するように切り替える旨のスイッチ制御信号を生成し、スイッチングユニット５０７に出力する。
【００４８】
スイッチングユニット５０７は、このスイッチ制御信号に基づいて第２のバッテリ２０８Ｂからの入力を第１のパワーセレクタへの出力又は第２のパワーセレクタ５０６への出力に切り替える。
【００４９】
第２のパワーセレクタ５０６は、ＤＣ電源供給部５０３からの入力があった場合、プリンタ電源部５０２に電力を供給し、バッテリチャージャ５０５からの電力を第２のバッテリ２０８Ｂに供給する。
【００５０】
第２のパワーセレクタ５０６は、ＤＣ電源供給部５０３からの入力がない場合、スイッチングユニット５０７を介して入力する第２のバッテリ２０８Ｂの電力をプリンタ電源部５０２に供給する。
【００５１】
制御部であるＣＰＵ２０１は、第１のバッテリ２０８Ａと、第２のバッテリ２０８Ｂと、ＤＣ電源供給部５０３からの電圧を監視し、タッチパネル２０２に表示する。従って、ユーザは、第１のバッテリ２０８Ａが消耗してきたことを知ることができる。
【００５２】
ユーザは、第２のバッテリ２０８Ｂによってシステムを駆動させている間に、第１のバッテリ２０８Ａを交換することができる。
【００５３】
なお、金銭登録装置１００は、第１のバッテリ２０８Ａ及び第２のバッテリ２０８Ｂのいずれの電圧も閾値以下に低下したと判定した場合、システムをシャットダウンする。
【００５４】
以上述べたように、本実施形態の金銭登録装置１００は、情報を入出力する入出力装置と、商品コードごとの単価を格納する価格データベースと、システムに電力を供給するシステム電源部５０１と、プリンタに電力を供給するプリンタ電源部５０２と、外部から供給される電力であるＤＣ電源供給部５０３と、システムに電力を供給するための第１のバッテリ２０８Ａと、プリンタに電力を供給するための第２のバッテリ２０８Ｂと、第１のバッテリ２０８Ａ又は第２のバッテリ２０８Ｂを充電するバッテリチャージャ５０５と、ＤＣ電源供給部５０３、第１のバッテリ２０８Ａからの入力、第２のバッテリ２０８Ｂからの入力、及びバッテリチャージャからの電力の入力を切り替え、システム電源部５０１に供給し、スイッチ制御信号を生成する第１のパワーセレクタ５０４と、ＤＣ電源供給部５０３、第２のバッテリ２０８Ｂからの入力、及びバッテリチャージャからの電力の入力を切り替え、プリンタ電源部５０２に供給する第２のパワーセレクタ５０６と、第２のバッテリ２０８Ｂからの入力を第１のパワーセレクタ５０４への出力又は第２のパワーセレクタ５０６への出力に切り替えるスイッチングユニット５０７と、を備える。
【００５５】
従って、システムをシャットダウンせずに、またＡＣ電源に接続せずに、システム用のバッテリを交換できるという効果がある。
【００５６】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１００：金銭登録装置
２０４Ａ：カードリーダ
２０７Ａ：価格データベース
２０７Ｂ：トランザクションファイル
２０８Ａ：第１のバッテリ
２０８Ｂ：第２のバッテリ
５０７、５０８：スイッチングユニット
【図１】
0005689906.tif 000002
【図２】
0005689906.tif 000003
【図３】
0005689906.tif 000004
【図４】
0005689906.tif 000005
【図５】
0005689906.tif 000006
【図６】
0005689906.tif 000007